(57)【要約】【課題】音声信号の切替時に発生する信号レベルの変化をなくすることができるラジオ受信機を提供すること。【解決手段】アナログ放送デコード処理部２２は、アナログＦＭ放送信号を受信して所定の再生動作を行ってアナログ音声信号を出力し、デジタル放送デコード処理部４２は、デジタル放送信号を受信して所定の再生動作を行ってデジタル音声信号を出力する。切替スイッチ３４は、放送信号の受信状態に応じて、デジタル音声信号とアナログ音声信号とを切り替える。ＡＡＬ設定部２６、ＤＡＬ設定部３２は、切替スイッチ３４による切替動作の前後で、デジタル音声信号の信号レベルとアナログ音声信号の信号レベルとが一致するように、アンプ２４あるいはアンプ３０のゲインを調整する。【選択図】        図１
2005005818.tif 000002
【特許請求の範囲】
【請求項１】
ＦＭ変調されたアナログＦＭ放送信号を受信して所定の再生動作を行うアナログ再生手段と、
前記アナログＦＭ放送信号と同じ内容を有するとともにデジタル変調方式で変調されたデジタル放送信号を受信して所定の再生動作を行うデジタル再生手段と、
前記アナログＦＭ放送信号および前記デジタル放送信号の受信状態に応じて、前記アナログ再生手段から出力される音声信号と前記デジタル再生手段から出力される音声信号とを切り替える切替手段と、
前記切替手段による切替動作の前後で前記アナログ再生手段および前記デジタル再生手段のそれぞれに対応する音声信号の信号レベルが一致するように少なくとも一方の音声信号の信号レベルを調整する信号レベル調整手段と、を備えることを特徴とするラジオ受信機。
【請求項２】
請求項１において、
同じ内容を有する前記アナログＦＭ放送信号および前記デジタル放送信号は、同じ周波数帯域に含まれていることを特徴とするラジオ受信機。
【請求項３】
請求項１または２において、
前記信号レベル調整手段は、前記アナログ再生手段および前記デジタル再生手段の少なくとも一方から出力される音声信号の信号レベルを所定のゲインで増幅あるいは減衰させる信号レベル可変手段を有し、前記アナログＦＭ放送信号と前記デジタル放送信号の受信電界強度が第１の基準値を超えて良好なときに、前記アナログ再生手段および前記デジタル再生手段のそれぞれの音声信号の信号レベルが一致するように前記信号レベル可変手段のゲインを設定することを特徴とするラジオ受信機。
【請求項４】
請求項１または２において、
前記信号レベル調整手段は、前記アナログ再生手段および前記デジタル再生手段の少なくとも一方から出力される音声信号の信号レベルを所定のゲインで増幅あるいは減衰させる信号レベル可変手段を有し、前記アナログＦＭ放送信号と前記デジタル放送信号の受信電界強度が第２の基準値を下回って悪化したときに、前記デジタル再生手段に対応する音声信号の信号レベルが、前記アナログ再生手段に対応する音声信号の信号レベルに一致するように前記信号レベル可変手段のゲインを設定することを特徴とするラジオ受信機。
【発明の詳細な説明】
【０００１】
【発明の属する技術分野】
本発明は、同じ放送内容を有するアナログＦＭ放送信号とデジタル放送信号を受信して再生動作を行うラジオ受信機に関する。
【０００２】
【従来の技術】
従来から、同じ周波数帯域に含まれるアナログＦＭ放送信号とデジタル放送信号を受信してそれぞれの放送信号に適した再生動作を並行して行うラジオ受信機が知られている（例えば、特許文献１参照）。このラジオ受信機では、例えばデジタル変調信号からなる主放送信号と、主放送信号の内容を所定時間だけ遅延させたアナログＦＭ変調信号からなる冗長信号とを受信しており、主放送信号が損傷状態にあるとき、あるいは主放送信号が受信されないときに冗長信号による再生動作が行われる。これにより、主放送信号の受信状態が途切れた場合にも良好な放送プログラムの再生を行うことが可能になる。
【０００３】
【特許文献１】
特表２００１−５２０４７９号公報（第７−２０頁、図１−９）
【０００４】
【発明が解決しようとする課題】
ところで、上述した特許文献１に開示されたラジオ受信機では、アナログＦＭ放送信号に基づく再生動作によって得られる音声信号の信号レベル（振幅）は放送信号の変調度によって決まり、デジタル放送信号に基づく再生動作によって得られる音声信号の信号レベルはデジタルデータをアナログ信号に変換する際の量子化レベルによって決まる。一般に、アナログＦＭ放送信号の変調度は、所定の範囲内で放送局毎に任意の値が設定されているため、アナログＦＭ放送信号に基づく再生動作によって得られる音声信号の信号レベルと、デジタル放送信号に基づく再生動作によって得られる音声信号の信号レベルとを一致させることは困難である。したがって、上述したラジオ受信機では、デジタル放送信号の受信状態が一時的に悪化してその間にアナログＦＭ放送信号に基づく音声信号を出力する場合に、同じ放送内容を維持するようにデジタル放送信号に基づく音声信号とアナログＦＭ放送信号に基づく音声信号を切り替えた場合であっても、切り替えの前後で音声信号の信号レベルが変化してしまうという問題があった。
【０００５】
また、上述したラジオ受信機にはブレンド機能が備わっており、一方の音声信号をフェードアウトしながら、他方の音声信号をフェードインすることにより、音声信号の信号レベルが異なっても切替の前後でそれほど違和感がないように工夫がされているが、この機能は、デジタル放送信号が短時間途切れた場合の音声信号の切り替えに使用することができず、しかも、切り替えの前後で音声信号の信号レベルが変化してしまう現象自体を抑制することはできないため、本質的な解決策にはなっていない。
【０００６】
本発明は、このような点に鑑みて創作されたものであり、その目的は、音声信号の切替時に発生する信号レベルの変化をなくすることができるラジオ受信機を提供することにある。
【０００７】
【課題を解決するための手段】
上述した課題を解決するために、本発明のラジオ受信機は、ＦＭ変調されたアナログＦＭ放送信号を受信して所定の再生動作を行うアナログ再生手段と、アナログＦＭ放送信号と同じ内容を有するデジタル変調方式で変調されたデジタル放送信号を受信して所定の再生動作を行うデジタル再生手段と、アナログＦＭ放送信号およびデジタル放送信号の受信状態に応じて、アナログ再生手段から出力される音声信号とデジタル再生手段から出力される音声信号とを切り替える切替手段と、切替手段による切替動作の前後でアナログ再生手段およびデジタル再生手段のそれぞれに対応する音声信号の信号レベルが一致するように少なくとも一方の音声信号の信号レベルを調整する信号レベル調整手段とを備えている。アナログＦＭ放送信号の変調度や、デジタル放送信号に基づいて音声信号を再生する際の量子化レベルの設定値等によっては各再生手段に対応する音声信号の信号レベルが一致しないが、このような場合にいずれかの音声信号の信号レベルが調整されるため、各音声信号を切り替える前後で発生する信号レベルの変化をなくすことが可能になり、違和感のない音声信号の切り替えを実現することができる。
【０００８】
また、同じ内容を有するアナログＦＭ放送信号およびデジタル放送信号は、同じ周波数帯域に含まれていることが望ましい。これにより、一の周波数帯域を用いてアナログＦＭ放送信号とデジタル放送信号の両方を配信することが可能になり、周波数帯域の有効利用を図ることができる。また、アナログＦＭ放送信号用の従来の周波数帯域にデジタル放送信号を含ませることにより、従来から行われている周波数割り当て等を変更することなく、同じ内容を有するアナログＦＭ放送信号とデジタル放送信号を配信することが可能になる。
【０００９】
また、上述した信号レベル調整手段は、アナログ再生手段およびデジタル再生手段の少なくとも一方から出力される音声信号の信号レベルを所定のゲインで増幅あるいは減衰させる信号レベル可変手段を有し、アナログＦＭ放送信号とデジタル放送信号の受信電界強度が第１の基準値を超えて良好なときに、アナログ再生手段およびデジタル再生手段のそれぞれの音声信号の信号レベルが一致するように信号レベル可変手段のゲインを設定することが望ましい。受信電界強度が第１の基準値を超えて受信状態が良好な場合には、アナログＦＭ放送信号に基づく生成動作によって得られる音声信号の信号レベルと、デジタル放送信号に基づく生成動作によって得られる音声信号の信号レベルがともにほぼ一定になり、しかも信号レベル可変手段を用いることによりこれらの各信号レベルを一致させることができる。このため、切替手段によって音声信号を切り替えたときに発生する信号レベルの変化をなくすことが可能になる。
【００１０】
また、上述した信号レベル調整手段は、アナログ再生手段およびデジタル再生手段の少なくとも一方から出力される音声信号の信号レベルを所定のゲインで増幅あるいは減衰させる信号レベル可変手段を有し、アナログＦＭ放送信号とデジタル放送信号の受信電界強度が第２の基準値を下回って悪化したときに、デジタル再生手段に対応する音声信号の信号レベルが、アナログ再生手段に対応する音声信号の信号レベルに一致するように信号レベル可変手段のゲインを設定することが望ましい。受信電界強度が低下して受信状態が悪化すると、アナログＦＭ放送信号に基づく再生動作によって得られる音声信号の信号レベルが次第に低下する。一方、デジタル放送信号に基づく再生動作によって得られる音声信号の信号レベルは、ある程度の受信状態の悪化に対してエラー修正が行われるため一定の信号レベルを維持するが、それ以上受信状態が悪化するとエラー修正が行えずに再生動作自体が不可能になるため、それ以後は、アナログＦＭ放送信号に基づいて再生された音声信号に切り替わる。本発明では、受信状態が悪化した場合に、デジタル放送信号に基づく再生動作によって得られた音声信号の信号レベルと、アナログＦＭ放送信号に基づく再生動作によって得られた音声信号の信号レベルとが一致するように信号レベル可変手段のゲイン調整が行われるため、さらに受信状態が悪化してアナログＦＭ放送信号に基づいて再生された音声信号に切り替えるときに発生する信号レベルの変化をなくすことが可能になる。
【００１１】
【発明の実施の形態】
以下、本発明を適用した一実施形態のラジオ受信機について、図面を参照しながら詳細に説明する。
図１は、一実施形態のラジオ受信機の構成を示す図である。図１に示すラジオ受信機１は、チューナ部１０、アナログ放送デコーダ２０、デジタル放送デコーダ４０、メモリ５０、アンプ６０、スピーカ６２、制御部７０を含んで構成されている。このラジオ受信機１は、ＦＭイン・バンド・オン・チャンネル（ＩＢＯＣ）デジタル音声放送（ＤＡＢ）のための変調フォーマットを有する放送信号を送受信する放送システム（ＩＢＯＣ放送システム）に適用されるものである。
【００１２】
チューナ部１０は、アンテナ８０に到達した各種の放送信号の中から所定周波数成分のみを抽出し、所定周波数帯域を有するＩＦ（中間周波）信号に変換して出力する。例えば、チューナ部１０は、高周波増幅器、ミキサ回路、局部発振器、ＩＦ増幅器、ＩＦフィルタ等を含んで構成されており、放送信号の中から受信対象となる所定周波数成分のみが抽出され、周波数変換がなされた後のＩＦ信号が出力される。
【００１３】
また、チューナ部１０は、ＩＦ信号に対応する放送信号の受信電界強度（受信状態）を検出するＳメータ（シグナルメータ）の機能を有しており、受信電界強度に応じた電圧レベルを有するＳメータ信号を出力する。このＳメータの機能は、例えば、ＩＦ信号をＡＭ検波することにより実現される。
【００１４】
図２は、ＩＢＯＣ放送システムに用いられる放送信号の周波数割り当てを示す図であり、チューナ部１０から出力されるＩＦ信号の出力スペクトル密度が示されている。図２の横軸には、放送信号の周波数がＩＦ信号の中心周波数を０として示されている。図２に示すように、本実施形態の放送信号には、中心周波数からずれるにしたがって所定の勾配でスペクトル密度が低下する信号成分としてのアナログＦＭ放送信号と、このアナログＦＭ放送信号の両側、すなわち上側波帯と下側波帯として配置された信号成分としてのデジタル放送信号とが含まれている。
【００１５】
アナログＦＭ放送信号は、音声信号をＦＭ変調（周波数変調）することにより生成された放送信号である。デジタル放送信号は、音声信号をデジタル変調することにより生成された放送信号である。また、これらのアナログＦＭ放送信号とデジタル放送信号は同じ音声信号に対して変調処理を行って生成されるが、放送局側では、アナログＦＭ放送信号に対して所定の遅延量（例えば４秒程度）を与えた後に送信されており、同じ内容に対応するアナログＦＭ放送信号がデジタル放送信号に対してこの遅延量分遅れて受信される。
【００１６】
アナログ放送デコーダ２０は、チューナ部１０から出力されるＩＦ信号に含まれるアナログＦＭ放送信号に基づいて所定の復調処理を行って音声信号を再生する。また、デジタル放送デコーダ２０は、チューナ部１０から出力されるＩＦ信号に含まれるデジタル放送信号に基づいて所定の復調処理を行って音声データをを再生する。デジタル放送デコーダ４０から出力される再生処理後の音声データは、一旦メモリ５０に蓄積された後、アナログ放送デコーダ２０に入力される。
【００１７】
本実施形態では、アナログ放送デコーダ２０には、アナログ放送デコーダ２０自身を用いて再生された音声信号（アナログ音声信号）とデジタル放送デコーダ４０を用いて再生された音声信号（デジタル音声信号）とを切り替える機能が備わっている。通常は、音質が良好なデジタル音声信号が選択され、デジタル音声信号の選択が不可能な場合にアナログ音声信号が代わりに選択される。このような切替処理を行うために、デジタル放送デコーダ４０から出力された音声データは、メモリ５０に蓄積された後、一旦アナログ放送デコーダ２０に入力される。
【００１８】
デジタル放送デコーダ４０は、デジタル放送デコード処理部４２を備えている。デジタル放送デコード処理部４２は、入力されるＩＦ信号に含まれるデジタル放送信号を抽出した後、所定のデジタル復調処理を行って音声データを出力する。また、このデジタル放送デコード処理部４２は、デジタル復調処理を行う際にビットエラー率が所定値（正常は再生動作を行うことができる上限値）を超えたときにアナログ放送デコーダ２０に向けて切替要求信号を出力する機能を有している。
【００１９】
また、アナログ放送デコーダ２０は、アナログ放送デコード処理部２２、アンプ２４、３０、ＡＡＬ（アナログオーディオレベル）設定部２６、デジタル−アナログ変換器（Ｄ／Ａ）２８、ＤＡＬ（デジタルオーディオレベル）設定部３２、切替スイッチ３４、出力系統切替部３６を備えている。
【００２０】
アナログ放送デコード処理部２２は、入力されるＩＦ信号に含まれるアナログＦＭ放送信号を抽出した後、所定のＦＭ復調処理を行うとともに、ステレオ音声の場合にはステレオ復調処理を行って音声信号を出力する。アンプ２４は、アナログ放送デコード処理部２２から出力される音声信号を所定のゲインで増幅する。一般に、アナログＦＭ放送信号を用いてＦＭ復調処理を行うと、変調度の違いによって再生後の音声信号の信号レベル（振幅）が変化する。アンプ２４は、この変調度の違いによる音声信号の信号レベルの変化分を調整するために用いられる。
【００２１】
ＡＡＬ設定部２６は、アンプ２４のゲインを設定する。ＡＡＬ設定部２６にはチューナ部１０から出力されるＳメータ信号が入力されており、ＡＡＬ設定部２６は、このＳメータ信号の電圧レベルが所定値以上のとき、すなわち、放送信号の受信電界強度が良好なときに、アンプ２４のゲインを調整する。このゲイン調整の詳細手順については後述する。
【００２２】
デジタル−アナログ変換器２８は、デジタル放送デコーダ４０から出力されてメモリ５０を介して入力される音声データをアナログの音声信号に変換する。アンプ３０は、デジタル−アナログ変換器２８から出力される音声信号を所定のゲインで増幅する。一般に、アナログＦＭ放送信号に基づくＦＭ復調処理によって得られたアナログ音声信号は、アナログＦＭ放送信号の受信電界強度が弱くなると信号レベルが低下するとともにノイズレベルが増加する。アンプ３０は、受信電界強度の低下に伴ってアナログ音声信号の信号レベルが低下したときに、この低下の程度にあわせて、デジタル−アナログ変換器２８から出力されるデジタル音声信号の信号レベルを調整するために用いられる。
【００２３】
ＤＡＬ設定部３２は、アンプ３０のゲインを設定する。ＤＡＬ設定部３２には、チューナ部１０から出力されるＳメータ信号が入力されており、ＤＡＬ設定部３２は、このＳメータ信号の電圧レベルが所定値以下のとき、すなわち、放送信号の受信電界強度が低下したときに、このＳメータ信号の電圧レベルに応じてアンプ３０のゲインを調整する。このゲイン調整の詳細手順については後述する。
【００２４】
切替スイッチ３４は、アンプ２４から出力されるアナログ音声信号とアンプ３０から出力されるデジタル音声信号のいずれかを選択して出力する。通常は、切替スイッチ３４ではデジタル音声信号が選択されて出力されている。出力系統切替部３６は、デジタル放送デコーダ４０から切替要求信号が出力されたときに、切替スイッチ３４の選択状態を切り替える。以後、切替スイッチ３４では、アナログ音声信号が選択されて出力される。なお、デジタル放送デコーダ４０による切替要求信号の出力が停止すると、出力系統切替部３６は、切替スイッチ３４の選択状態を再び切り替えて元に戻す。
【００２５】
また、図１に示すアンプ６０は、アナログ放送デコーダ２０から出力される音声信号を増幅し、スピーカ６２を駆動する。なお、図１では、１個のスピーカ６２が図示されているが、実際にはステレオ音声信号用に２個以上のスピーカが備わっている。
【００２６】
制御部７０は、ラジオ受信機１の全体を制御する。例えば、操作部（図示せず）を用いて利用者による各種の指示操作が行われた場合には、制御部７０は、その操作内容に応じた制御動作を行う。これにより、所望の放送局に割り当てられた周波数に受信周波数をあわせる選局動作や、音量あるいは音質等の調整動作が行われる。
【００２７】
上述したアナログ放送デコード処理部２２がアナログ再生手段に、デジタル放送デコード処理部４２がデジタル再生手段に、切替スイッチ３４、出力系統切替部３６が切替手段にそれぞれ対応する。また、アンプ２４、３０、ＡＡＬ設定部２６、ＤＡＬ設定部３２が信号レベル調整手段に、アンプ２４、３０が信号レベル可変手段にそれぞれ対応する。
【００２８】
本実施形態のラジオ受信機１はこのような構成を有しており、次にその動作を説明する。
上述したように、本実施形態のラジオ受信機１で受信される同一周波数帯域内の放送信号の内容を比べると、デジタル放送信号の内容の方がアナログＦＭ放送信号の内容に対して所定時間進んでおり、この送信タイミングの時間差や復調処理に要する時間差をメモリ５０を用いて調整し、切替スイッチ３４に入力される際にはアナログ音声信号の内容とデジタル音声信号の内容が一致するようになっている。したがって、切替スイッチ３４において選択対象となるアナログ音声信号とデジタル音声信号を比べると、それぞれに対応するアナログＦＭ放送信号とデジタル放送信号の受信タイミングは所定の時間差分だけずれており、この時間差よりも短い一時的な受信不能状態（例えば一時的に受信電波が遮断された場合）が生じた場合には、出力系統切替部３６によって切替スイッチを切り替えて、デジタル音声信号に変えてアナログ音声信号を途切れることなく出力することが可能になる。
【００２９】
また、デジタル音声信号の信号レベルは、デジタル−アナログ変換器２８の量子化レベルやアンプ３０のゲインによって予め決まるが、アナログ音声信号の信号レベルは、アナログＦＭ放送信号の変調度とアンプ２４のゲインによって決まる。すなわち、アナログ音声信号の信号レベルは、放送局側で設定された変調度に左右されるため、本実施形態のラジオ受信機１では、アンプ２４のゲインを調整することにより、切替スイッチ３４によってデジタル音声信号からアナログ音声信号に切り替えた際に信号レベルが変化しないようにしている。
【００３０】
図３は、放送信号の受信状態が良好なときに一時的な受信不能状態が発生して、一時的にデジタル音声信号からアナログ音声信号に切り替えた場合に信号レベルが変化しないようにしたラジオ受信機１の動作手順を示す流れ図である。
アナログ放送デコーダ２０内のＡＡＬ設定部２６は、受信周波数が切り替えられたか否かを判定しており（ステップ１００）、同じ受信周波数が維持されている場合には否定判断を行ってこの判定を繰り返す。また、受信周波数が切り替えられるとステップ１００の判定において肯定判断が行われ、次に、ＡＡＬ設定部２６は、チューナ部１０から出力されるＳメータ信号の電圧レベルは所定値（第１の基準値）以上か否かを判定する（ステップ１０１）。Ｓメータ信号の電圧レベルが所定値よりも低く、放送信号の受信状態があまりよくない場合には否定判断が行われ、この判定が繰り返される。
【００３１】
また、Ｓメータ信号の電圧レベルが所定値以上であって放送信号の受信状態が良好な場合にはステップ１０１の判定において肯定判断が行われ、次に、ＡＡＬ設定部２６は、アナログ放送デコード処理部２２から出力されるアナログ音声信号とデジタル放送デコード処理部４２から出力されるデジタル音声信号を取り込み（ステップ１０２）、これら２種類の音声信号の信号レベルが一致するようにアナログ音声信号用のアンプ２４のゲインを調整する（ステップ１０３）。
【００３２】
このように、アナログＦＭ放送信号の変調度や、デジタル放送信号に基づいて音声信号を再生する際の量子化レベルの設定値等によっては各再生手段に対応する音声信号の信号レベルが一致しないが、本実施形態のラジオ受信機１では、このような場合にいずれかの音声信号の信号レベルが調整されるため、各音声信号を切り替える前後で発生する信号レベルの変化をなくすことが可能になり、違和感のない音声信号の切り替えを実現することができる。
【００３３】
特に、受信電界強度が所定値を超えて受信状態が良好な場合には、アナログＦＭ放送信号に基づく生成動作によって得られるアナログ音声信号の信号レベルと、デジタル放送信号に基づく生成動作によって得られるデジタル音声信号の信号レベルがともにほぼ一定になるが、本実施形態のラジオ受信機１ではこれらの各信号レベルを一致させることができる。このため、切替スイッチ３４によって音声信号を切り替えたときに発生する信号レベルの変化をなくすことが可能になる。
【００３４】
また、本実施形態のラジオ受信機１では、同じ内容を有するアナログＦＭ放送信号とデジタル放送信号とが同じ周波数帯域に含まれており、一の周波数帯域を用いてアナログＦＭ放送信号とデジタル放送信号の両方を配信することが可能になるため、周波数帯域の有効利用を図ることができる。さらに、アナログＦＭ放送信号用の従来の周波数帯域にデジタル放送信号を含ませることが可能になるため、従来から行われている周波数割り当て等を変更することなく、同じ内容を有するアナログＦＭ放送信号とデジタル放送信号を配信することができる。
【００３５】
図４、図５は、ＡＡＬ設定部２６によるアンプ２４のゲイン調整の概要を示す図である。図４（Ａ）には、放送信号の受信電界強度と、チューナ部１０から出力されるＳメータ信号の電圧レベルとの関係が示されている。Ｓメータ信号の電圧レベルは、放送信号の受信状態が良好な場合にはほぼ一定となり、次第に悪くなるにしたがって急激に低下する特定を示す。本実施形態では、Ｓメータ信号の電圧レベルが所定値Ｌ１以上である場合（放送信号の受信電界強度が所定値Ｉ１以上の場合）に、放送信号の受信状態が良好であると判定している。
【００３６】
図４（Ｂ）、図４（Ｃ）には、アナログ音声信号とデジタル音声信号のそれぞれの信号レベルおよびノイズレベルが示されている。これらの図において、Ｓ（Ａ）はアナログ音声信号の信号レベルの特性を、Ｓ（Ｄ）はデジタル音声信号の信号レベルの特性を、Ｎ（Ａ）はアナログ音声信号のノイズレベルの特性を、Ｎ（Ｄ）はデジタル音声信号のノイズレベルの特性を示している。
【００３７】
アナログ音声信号の信号レベルＳ（Ａ）は、アナログＦＭ放送信号の受信状態が良好な場合には、変調度等によって決まるほぼ一定の値を維持している。また、デジタル音声信号の信号レベルＳ（Ｄ）も、デジタル放送信号の受信状態が良好な場合には、ラジオ受信機１側の量子化レベル等によって決まる一定の値を維持している。
【００３８】
本実施形態で示したＡＡＬ設定部２６がない場合には、例えば、変調度が異なるアナログＦＭ放送信号を受信することにより、図４（Ｂ）に示すように、デジタル音声信号の信号レベルＳ（Ｄ）よりもアナログ音声信号の信号レベルＳ（Ａ）の方が大きくなったり、図４（Ｃ）に示すように、デジタル音声信号の信号レベルＳ（Ｄ）よりもアナログ音声信号の信号レベルＳ（Ａ）の方が小さくなったりする。
【００３９】
これに対し、本実施形態ではＡＡＬ設定部２６によってアナログ音声信号とデジタル音声信号の各信号レベルが一致するようにアンプ２４のゲインが調整されるため、図５に示すように、放送信号の受信状態が良好な場合の各音声信号の信号レベルが同じになる。したがって、一時的にデジタル音声信号からアナログ音声信号に切り替わった場合であっても信号レベルが変化しない。このため、音声信号の切り替わりに伴う違和感や聞きづらさを感じることがない。
【００４０】
図６は、切替前後における音声信号の信号レベルの変化の様子を示す図である。従来では、図６（Ａ）に示すように、切替前の期間Ｔ１におけるデジタル音声信号の振幅と、切替後の期間Ｔ２におけるアナログ音声信号の振幅が変化してしまう（例えば小さくなる）。これに対し、本実施形態では、図６（Ｂ）に示すように、切替前の期間Ｔ１におけるデジタル音声信号の振幅と、切替後の期間Ｔ２におけるアナログ音声信号の振幅が一定に維持される。
【００４１】
ところで、上述した説明では、放送信号の受信状態が良好な場合において、ほぼ一定のデジタル音声信号の信号レベルを調整してアナログ音声信号の信号レベルに一致させるようにしたが、受信状態が悪化すると、まずアナログ音声信号の信号レベルは次第に低下し、さらに受信状態が悪化するとビットエラー率の増加に伴ってデジタル音声信号の再生動作が不可能になる。
【００４２】
例えば、図５に示したように、放送信号の受信状態が次第に悪くなると、アナログ音声信号の信号レベルＳ（Ａ）が次第に低くなるとともにノイズレベルＮ（Ａ）が次第に上昇し、ついにはノイズレベルＮ（Ａ）と信号レベルＳ（Ａ）が同程度になって音声信号がノイズに打ち消され聞こえなくなってしまう。一方、デジタル音声信号は、放送信号の受信状態が次第に悪化しても、エラー修正できる範囲内では一定の信号レベルＳ（Ｄ）およびノイズレベルＮ（Ｄ）が維持されるが、それ以上受信状態が悪化してビットエラー率の増加によりエラー修正が不可能になると、デジタル音声信号の再生動作が全く行えない状態となる。このような状態では、出力系統切替部３６によって切替スイッチ３４を切り替えてデジタル音声信号の代わりにアナログ音声信号を出力するようになるが、その切り替えの際に各音声信号の信号レベルが一致していないと聴取者にとって違和感を感じることになるため、本実施形態では、上述した受信状態が良好の場合と同様に受信状態が悪化した場合にも音声信号の信号レベルを調整する動作が行われる。
【００４３】
図７は、放送信号の受信状態が悪化したときにデジタル音声信号からアナログ音声信号に切り替えた場合に信号レベルが変化しないようにしたラジオ受信機１の動作手順を示す流れ図である。
アナログ放送デコーダ２０内のＤＡＬ設定部３２は、図３に示したＡＡＬ設定部２６によるアンプ２４のゲイン調整が終了したか否かを判定しており（ステップ２００）、終了していない場合にはこの判定を繰り返す（ステップ２００）。また、ＡＡＬ設定部２６によるゲイン調整が終了している場合にはステップ２００の判定において肯定判断が行われ、次に、ＤＡＬ設定部３２は、Ｓメータ信号の電圧レベルが所定値以下か否かを判定する（ステップ２０１）。所定値以上の受信状態が良好な場合には否定判断が行われ、この判定が繰り返される。
【００４４】
また、Ｓメータ信号の電圧レベルが所定値以下であって放送信号の受信状態が悪化した場合には、このＳメータ信号の電圧レベルに応じてデジタル音声信号用のアンプ３０のゲインを調整する（ステップ２０２）。
図８は、ＤＡＬ設定部３２によるゲイン調整の概要を示す図である。ＤＡＬ設定部３２は、ステップ２０１におけるＳメータ信号の電圧レベルの判定動作において、この電圧レベルが所定値Ｌ２以下か否かを判定している。図８に示すように、この所定値Ｌ２は、アナログ音声信号Ｓ（Ａ）の信号レベルが低下し始める付近の受信電界強度に対応している。
【００４５】
Ｓメータ信号の電圧レベルがこの所定値Ｌ２以下になるとＤＡＬ設定部３２によってアンプ３０のゲイン調整が行われ、その結果、デジタル音声信号の信号レベルが受信状態の悪化に伴って低下し、アナログ音声信号にほぼ一致するようになる。また、さらに受信状態が悪化してＳメータ信号の電圧レベルがＬ３以下になると、デジタル音声信号がアナログ音声信号に切り替わるが、この切替動作直前においてデジタル音声信号とアナログ音声信号の各信号レベルはほぼ一致しているため、切替前後で信号振幅が変化せず、聴取者が違和感を感じることもない。
【００４６】
このように、本実施形態のラジオ受信機１では、受信電界強度が低下して受信状態が悪化すると、アナログＦＭ放送信号に基づく再生動作によって得られるアナログ音声信号の信号レベルが次第に低下する。一方、デジタル放送信号に基づく再生動作によって得られるデジタル音声信号の信号レベルは、ある程度の受信状態の悪化に対してエラー修正が行われるため一定の信号レベルを維持するが、それ以上受信状態が悪化するとエラー修正が行えずに再生動作自体が不可能になるため、それ以後は、アナログ音声信号に切り替わる。特に、本実施形態のラジオ受信機１では、受信状態が悪化した場合に、デジタル音声信号の信号レベルがアナログ音声信号の信号レベルに一致するようにアンプ３０のゲイン調整が行われるため、さらに受信状態が悪化してデジタル音声信号からアナログ音声信号に切り替わるときに発生する信号レベルの変化をなくすことが可能になる。
【００４７】
なお、本発明は上記実施形態に限定されるものではなく、本発明の要旨の範囲内において種々の変形実施が可能である。上述した実施形態では、放送信号の受信状態が良好なときにＡＡＬ設定部２６によってアンプ２４のゲインを調整し、受信状態が悪化したときにＤＡＬ設定部３２によってアンプ３０のゲインを調整するようにしたが、いずれの調整動作もデジタル音声信号とアナログ音声信号の各信号レベルを一致させることが目的であるため、ＡＡＬ設定部２６とＤＡＬ設定部３２の各動作をどちらか一方に行わせるようにしてもよい。また、アンプ２４、３０のどちらか一方を省略し、残った他方のアンプのゲイン調整のみを行って各音声信号の信号レベルを一致させるようにしてもよい。
【００４８】
【発明の効果】
上述したように、本発明によれば、アナログＦＭ放送信号の変調度や、デジタル放送信号に基づいて音声信号を再生する際の量子化レベルの設定値等によっては各再生手段に対応する音声信号の信号レベルが一致しないが、このような場合にいずれかの音声信号の信号レベルが調整されるため、各音声信号を切り替える前後で発生する信号レベルの変化をなくすことが可能になり、違和感のない音声信号の切り替えを実現することができる。
【図面の簡単な説明】
【図１】一実施形態のラジオ受信機の構成を示す図である。
【図２】ＩＢＯＣ放送システムに用いられる放送信号の周波数割り当てを示す図である。
【図３】放送信号の受信状態が良好なときに一時的な受信不能状態が発生して、一時的にデジタル音声信号からアナログ音声信号に切り替えた場合に信号レベルが変化しないようにしたラジオ受信機の動作手順を示す流れ図である。
【図４】ＡＡＬ設定部によるアンプのゲイン調整の概要を示す図である。
【図５】ＡＡＬ設定部によるアンプのゲイン調整の概要を示す図である。
【図６】切替前後における音声信号の信号レベルの変化の様子を示す図である。
【図７】放送信号の受信状態が悪化したときにデジタル音声信号からアナログ音声信号に切り替えた場合に信号レベルが変化しないようにしたラジオ受信機の動作手順を示す流れ図である。
【図８】ＤＡＬ設定部によるゲイン調整の概要を示す図である。
【符号の説明】
１  ラジオ受信機
１０  チューナ部
２０  アナログ放送デコーダ
２２  アナログ放送デコード処理部
２４、３０、６０  アンプ
２６  ＡＡＬ（アナログ・オーディオ・レベル）設定部
２８  デジタル−アナログ変換器（Ｄ／Ａ）
３２  ＤＡＬ（デジタル・オーディオ・レベル）設定部
３４  切替スイッチ
３６  出力系統切替部
４０  デジタル放送デコーダ
４２  デジタル放送デコード処理部
５０  メモリ
６２  スピーカ
７０  制御部
【図１】
2005005818.tif 000003
【図２】
2005005818.tif 000004
【図３】
2005005818.tif 000005
【図４】
2005005818.tif 000006
【図５】
2005005818.tif 000007
【図６】
2005005818.tif 000008
【図７】
2005005818.tif 000009
【図８】
2005005818.tif 000010